【手続補正書】
【提出日】令和2年1月23日(2020.1.23)
【手続補正１】
【補正対象書類名】特許請求の範囲
【補正対象項目名】全文
【補正方法】変更
【補正の内容】
【特許請求の範囲】
【請求項１】
無線アクセスシステムであって、
構内に設置された端点ノードと、
前記端点ノードと通信する集約ノードであって、当該集約ノードがカバレッジエリアを複数のサブセクタに分割するフェーズドアレイアンテナシステムを含む、集約ノードと、
を備える、システム。
【請求項２】
請求項１に記載のシステムにおいて、前記フェーズドアレイアンテナシステムが、
情報を前記端点ノードに送信する少なくとも１つの送信側フェーズドアレイアンテナ、および
前記端点ノードから情報を受信する少なくとも１つの受信側フェーズドアレイアンテナを有する、システム。
【請求項３】
請求項１または２に記載のシステムにおいて、前記フェーズドアレイアンテナシステムが、前記サブセクタに対して、複数の送信ビームおよび受信ビームを同時に生成する、システム。
【請求項４】
請求項１から３のいずれか一項に記載のシステムにおいて、前記フェーズドアレイアンテナシステムが、前記カバレッジエリアを４つ以上のサブセクタに分割する、システム。
【請求項５】
請求項１から４のいずれか一項に記載のシステムにおいて、前記フェーズドアレイアンテナシステムが、一次元のみにおいて方向操縦される少なくとも１つのフェーズドアレイアンテナを有する、システム。
【請求項６】
請求項５に記載のシステムにおいて、一次元の前記フェーズドアレイアンテナが、前記複数のサブセクタを方位角方向に生じさせる、システム。
【請求項７】
請求項６に記載のシステムにおいて、一次元の前記フェーズドアレイアンテナが、垂直方向にパンケーキされる、システム。
【請求項８】
請求項１から７のいずれか一項に記載のシステムにおいて、前記端点ノードと前記集約ノードとが、１０ＧＨｚ〜３００ＧＨｚのスペクトル帯域で通信する、システム。
【請求項９】
請求項１から８のいずれか一項に記載のシステムにおいて、前記端点ノードと前記集約ノードとが、３０ＧＨｚ〜６０ＧＨｚのスペクトル帯域で通信する、システム。
【請求項１０】
請求項１から９のいずれか一項に記載のシステムにおいて、前記フェーズドアレイアンテナシステムが、アンテナ開口の二次元配置を有するアンテナアレイを含む、システム。
【請求項１１】
請求項１０に記載のシステムにおいて、アンテナ開口の前記二次元配置が、少なくとも５列のアンテナ開口を有する、システム。
【請求項１２】
請求項１１に記載のシステムにおいて、アンテナ開口の前記二次元配置が、少なくとも５行のアンテナ開口を有する、システム。
【請求項１３】
請求項１１または１２に記載のシステムにおいて、前記列が、位相制御装置の別々のポートによって駆動される、システム。
【請求項１４】
固定無線アクセスを提供する方法であって、
カバレッジエリアをフェーズドアレイアンテナシステムで複数のサブセクタに分割する過程と、
前記サブセクタのうちの異なるサブセクタ内に位置する端点構内に設置された端点ノードと通信する過程と、
を備える、方法。
【請求項１５】
請求項１４に記載の方法において、前記フェーズドアレイアンテナシステムが、
情報を前記端点ノードに送信する少なくとも１つの送信側フェーズドアレイアンテナ、および
前記端点ノードから情報を受信する少なくとも１つの受信側フェーズドアレイアンテナを有する、方法。
【請求項１６】
請求項１４または１５に記載の方法において、さらに、
前記フェーズドアレイアンテナシステムで、前記サブセクタに対する複数の送信ビームおよび受信ビームを同時に生成する過程、
を備える、方法。
【請求項１７】
請求項１４から１６のいずれか一項に記載の方法において、前記フェーズドアレイアンテナシステムが、前記カバレッジエリアを４つ以上のサブセクタに分割する、方法。
【請求項１８】
請求項１４から１７のいずれか一項に記載の方法において、前記フェーズドアレイアンテナシステムが、一次元の少なくとも１つのフェーズドアレイアンテナを有する、方法。
【請求項１９】
請求項１８に記載の方法において、一次元の前記フェーズドアレイアンテナが、前記複数のサブセクタを方位角方向において生じさせる、方法。
【請求項２０】
請求項１９に記載の方法において、一次元の前記フェーズドアレイアンテナが、垂直方向にパンケーキされる、方法。
【請求項２１】
請求項１４から２０のいずれか一項に記載の方法において、前記端点ノードが、１０ＧＨｚ〜３００ＧＨｚのスペクトル帯域、より詳細には３０ＧＨｚ〜６０ＧＨｚのスペクトル帯域で通信する、方法。
【請求項２２】
固定無線アクセスを提供する方法であって、
フェーズドアレイアンテナシステムを用いて集約ノードのカバレッジエリアを複数のセクタに分割する過程と、
前記セクタそれぞれ内に位置する構内であって、加入者の構内に設置された加入者ノードとの間で情報を送受信する過程と、
を備える、方法。
【手続補正２】
【補正対象書類名】明細書
【補正対象項目名】０２１１
【補正方法】変更
【補正の内容】
【０２１１】
本発明を本発明の好適な実施形態を参照しながら具体的に図示・説明してきたが、当業者であれば、添付の特許請求の範囲に包含される本発明の範囲を逸脱することなく形態や細部に様々な変更が施されてもよいことを理解するであろう。
なお、本発明は、実施の態様として以下の内容を含む。
〔態様１〕
無線アクセスシステムであって、
構内に設置された端点ノードと、
前記端点ノードと通信する集約ノードであって、当該集約ノードがカバレッジエリアを複数のサブセクタに分割するフェーズドアレイアンテナシステムを含む、集約ノードと、
を備える、システム。
〔態様２〕
態様１に記載のシステムにおいて、前記フェーズドアレイアンテナシステムが、
情報を前記端点ノードに送信する少なくとも１つの送信側フェーズドアレイアンテナ、および
前記端点ノードから情報を受信する少なくとも１つの受信側フェーズドアレイアンテナを有する、システム。
〔態様３〕
態様１または２に記載のシステムにおいて、前記フェーズドアレイアンテナシステムが、前記サブセクタに対して、複数の送信ビームおよび受信ビームを同時に生成する、システム。
〔態様４〕
態様１から３のいずれか一態様に記載のシステムにおいて、前記フェーズドアレイアンテナシステムが、前記カバレッジエリアを４つ以上のサブセクタに分割する、システム。
〔態様５〕
態様１から４のいずれか一態様に記載のシステムにおいて、前記フェーズドアレイアンテナシステムが、一次元のみにおいて方向操縦される少なくとも１つのフェーズドアレイアンテナを有する、システム。
〔態様６〕
態様１から５のいずれか一態様に記載のシステムにおいて、一次元の前記フェーズドアレイアンテナが、前記複数のサブセクタを方位角方向に生じさせる、システム。
〔態様７〕
態様６に記載のシステムにおいて、一次元の前記フェーズドアレイアンテナが、垂直方向にパンケーキされる、システム。
〔態様８〕
態様１から７のいずれか一態様に記載のシステムにおいて、前記端点ノードと前記集約ノードとが、１０ＧＨｚ〜３００ＧＨｚのスペクトル帯域で通信する、システム。
〔態様９〕
態様１から８のいずれか一態様に記載のシステムにおいて、前記端点ノードと前記集約ノードとが、３０ＧＨｚ〜６０ＧＨｚのスペクトル帯域で通信する、システム。
〔態様１０〕
態様１から９のいずれか一態様に記載のシステムにおいて、前記フェーズドアレイアンテナシステムが、アンテナ開口の二次元配置を有するアンテナアレイを含む、システム。
〔態様１１〕
態様１０に記載のシステムにおいて、アンテナ開口の前記二次元配置が、少なくとも５列のアンテナ開口を有する、システム。
〔態様１２〕
態様１１に記載のシステムにおいて、アンテナ開口の前記二次元配置が、少なくとも５行のアンテナ開口を有する、システム。
〔態様１３〕
態様１１または１２に記載のシステムにおいて、前記列が、位相制御装置の別々のポートによって駆動される、システム。
〔態様１４〕
固定無線アクセスを提供する方法であって、
カバレッジエリアをフェーズドアレイアンテナシステムで複数のサブセクタに分割する過程と、
前記サブセクタのうちの異なるサブセクタ内に位置する端点構内に設置された端点ノードと通信する過程と、
を備える、方法。
〔態様１５〕
態様１４に記載の方法において、前記フェーズドアレイアンテナシステムが、
情報を前記端点ノードに送信する少なくとも１つの送信側フェーズドアレイアンテナ、および
前記端点ノードから情報を受信する少なくとも１つの受信側フェーズドアレイアンテナを有する、方法。
〔態様１６〕
態様１４または１５に記載の方法において、さらに、
前記フェーズドアレイアンテナシステムで、前記サブセクタに対する複数の送信ビームおよび受信ビームを同時に生成する過程、
を備える、方法。
〔態様１７〕
態様１４から１６のいずれか一態様に記載の方法において、前記フェーズドアレイアンテナシステムが、前記カバレッジエリアを４つ以上のサブセクタに分割する、方法。
〔態様１８〕
態様１４から１７のいずれか一態様に記載の方法において、前記フェーズドアレイアンテナシステムが、一次元の少なくとも１つのフェーズドアレイアンテナを有する、方法。
〔態様１９〕
態様１４から１８のいずれか一態様に記載の方法において、一次元の前記フェーズドアレイアンテナが、前記複数のサブセクタを方位角方向において生じさせる、方法。
〔態様２０〕
態様１９に記載の方法において、一次元の前記フェーズドアレイアンテナが、垂直方向にパンケーキされる、方法。
〔態様２１〕
態様１４から２０のいずれか一態様に記載のシステムにおいて、前記端点ノードと前記集約ノードとが、１０ＧＨｚ〜３００ＧＨｚのスペクトル帯域、より詳細には３０ＧＨｚ〜６０ＧＨｚのスペクトル帯域で通信する、システム。
〔態様２２〕
無線アクセスシステム用の集約ノードであって、
高周波信号を加入者ノードに送信し、さらに、または代わりに、当該加入者ノードから高周波信号を受信するアンテナアレイシステムと、
前記アンテナアレイシステムに、一組の給電路を介して接続された位相制御装置と、
前記アンテナアレイシステムと前記位相制御装置の間の前記給電路における供給を増幅する増幅システムと、
を備える、集約ノード。
〔態様２３〕
態様２２に記載の集約ノードにおいて、前記アンテナアレイシステムが、
前記高周波信号を前記加入者ノードに送信する少なくとも１つの送信側アンテナアレイ、および
前記加入者ノードから前記高周波信号を受信する少なくとも１つの受信側アンテナアレイを含む、集約ノード。
〔態様２４〕
態様２２または２３に記載の集約ノードにおいて、前記位相制御装置が、少なくとも１つのロットマンレンズを含む、集約ノード。
〔態様２５〕
態様２２から２４のいずれか一態様に記載の集約ノードにおいて、前記位相制御装置が、前記高周波信号をカバレッジエリアの別々の部分に方向付けるように、前記増幅システムに供給される信号であって、その後に前記アンテナアレイシステムに供給される信号の位相を制御する、集約ノード。
〔態様２６〕
態様２２から２５のいずれか一態様に記載の集約ノードにおいて、前記位相制御装置が、カバレッジエリアの別々の部分から受信した高周波信号を当該位相制御装置の別々の出力ポートに導くように、前記アンテナアレイシステムから受信した信号の位相を制御する、集約ノード。
〔態様２７〕
態様２２から２６のいずれか一態様に記載の集約ノードにおいて、前記位相制御装置が、信号の位相を、当該信号を前記カバレッジエリア内の１つ以上のセクタに向かって方向操縦するように、変更する、集約ノード。
〔態様２８〕
態様２２から２７のいずれか一態様に記載の集約ノードにおいて、前記増幅システムが、前記位相制御装置のポートに設けられた電力増幅器を含む、集約ノード。
〔態様２９〕
態様２２から２８のいずれか一態様に記載の集約ノードにおいて、前記電力増幅器が、互いに位相整合している、集約ノード。
〔態様３０〕
無線アクセスシステムにおける集約ノードと加入者ノードの通信方法であって、
異なる加入者ノードに対する高周波信号を生成する過程と、
前記高周波信号を送信側位相制御装置に供給する過程と、
前記送信側位相制御装置の出力ポートにおいて供給を増幅する過程と、
前記高周波信号をカバレッジエリア内の異なる加入者ノードにビーム放射する過程と、
を備える、方法。
〔態様３１〕
態様３０に記載の方法において、さらに、
異なる加入者ノードから高周波信号を受信する過程と、
前記高周波信号を増幅する過程と、
前記高周波信号を受信側位相制御装置に供給する過程と、
前記受信側位相制御装置の出力ポートで、供給された前記高周波信号を復号化する過程と、
を備える、方法。
〔態様３２〕
態様３０または３１に記載の方法において、前記位相制御装置が、少なくとも１つのロットマンレンズを含む、方法。
〔態様３３〕
態様３０から３２のいずれか一態様に記載の方法において、さらに、
前記位相制御装置が、前記高周波信号を前記カバレッジエリアの別々の部分に方向付けるように、信号の位相を制御する過程、
を備える、方法。
〔態様３４〕
固定無線アクセスを提供する方法であって、
フェーズドアレイアンテナシステムを用いて集約ノードのカバレッジエリアを複数のセクタに分割する過程と、
前記セクタそれぞれ内に位置する構内であって、加入者の構内に設置された加入者ノードとの間で情報を送受信する過程と、
を備える、方法。
〔態様３５〕
無線アクセスシステム用の集約ノードであって、
フェーズドアレイアンテナシステムを含む少なくとも１つのセクタヘッドと、
前記セクタヘッドに電力を供給するセクタアダプタと、
を備える、集約ノード。
〔態様３６〕
態様３５に記載の集約ノードにおいて、前記少なくとも１つのセクタヘッドが、さらに、前記フェーズドアレイアンテナシステム用の少なくとも１つのロットマンレンズを含む、集約ノード。
〔態様３７〕
構内での設置に適合した加入者ノードであって、
可動アンテナモジュールを支持する屋外ユニットと、
ローカル無線モジュールを保持する屋内ユニットと、
を備える、加入者ノード。
〔態様３８〕
態様３７に記載の加入者ノードにおいて、前記可動アンテナモジュールが、少なくとも１つの集約ノードとの間で情報を送受信する、加入者ノード。
〔態様３９〕
態様３７または３８に記載の加入者ノードにおいて、前記可動アンテナモジュールが、少なくとも１つのパッチアレイアンテナを含む、加入者ノード。
〔態様４０〕
態様３７から３９のいずれか一態様に記載の加入者ノードにおいて、前記可動アンテナモジュールが、当該可動アンテナモジュールの少なくとも１つのアンテナを機械的に方向操縦するモータユニットを含む、加入者ノード。
〔態様４１〕
態様４０に記載の加入者ノードにおいて、前記モータユニットによって、前記アンテナが少なくとも１つの集約ノードに向く、加入者ノード。
〔態様４２〕
態様３７から４１のいずれか一態様に記載の加入者ノードにおいて、当該加入者ノードが、少なくとも１つの集約ノードと１０ＧＨｚ〜３００ＧＨｚのスペクトル帯域で通信する、加入者ノード。
〔態様４３〕
態様３７から４２のいずれか一態様に記載の加入者ノードにおいて、当該加入者ノードが、少なくとも１つの集約ノードと３０ＧＨｚ〜６０ＧＨｚのスペクトル帯域で通信する、加入者ノード。
〔態様４４〕
態様３７から４３のいずれか一態様に記載の加入者ノードにおいて、さらに、
窓を通って前記屋外ユニットおよび前記屋内ユニットを機械的に支持するように構成されたブリッジユニット、
を備える、加入者ノード。
〔態様４５〕
態様３７から４４のいずれか一態様に記載の加入者ノードにおいて、前記ローカル無線モジュールが、加入者の構内におけるネットワーク装置と通信する、加入者ノード。
〔態様４６〕
態様３７から４５のいずれか一態様に記載の加入者ノードにおいて、前記ローカル無線モジュールが、加入者の構内の無線ローカルエリアネットワークを維持する、加入者ノード。
〔態様４７〕
態様３７から４６のいずれか一態様に記載の加入者ノードにおいて、前記ローカル無線モジュールが、加入者の構内の無線ローカルエリアネットワークを維持するローカル無線アクセスポイントとの間で情報を送受信する、加入者ノード。
〔態様４８〕
態様３７から４７のいずれか一態様に記載の加入者ノードにおいて、前記屋外ユニットと前記屋内ユニットが、上げ下げ窓のそれぞれの側に設置される、加入者ノード。
〔態様４９〕
態様３７から４８のいずれか一態様に記載の加入者ノードにおいて、前記可動アンテナモジュールが、耐候性の筐体内に設けられている、加入者ノード。
〔態様５０〕
加入者の構内での設置に適合した加入者ノードであって、
加入者の前記構内における窓の外側に設置される可動アンテナモジュールと、
前記窓の内側に設置されるローカル通信モジュールと、
を備える、加入者ノード。
〔態様５１〕
少なくとも１つの集約ノードと通信する方法であって、
可動アンテナモジュールを、第１の集約ノードに向くように位置付ける過程と、
前記第１の集約ノードの動作不良に応答して、前記可動アンテナモジュールを第２の集約ノードに向くように再度位置付ける過程と、
を備える、方法。
〔態様５２〕
構内へのアクセスを提供する方法であって、
屋外ユニットを介して集約ノードと高周波信号を送受信する過程と、
屋内ユニットを介してローカルエリアネットワークと通信する過程と、
を備える、方法。
〔態様５３〕
態様５２に記載の方法において、さらに、
少なくとも１つのアンテナが前記集約ノードに向くように、可動アンテナモジュールを制御する過程、
を備える、方法。
〔態様５４〕
態様５２または５３に記載の方法において、前記高周波信号が、１０ＧＨｚ〜３００ＧＨｚのスペクトル帯域にある、方法。
〔態様５５〕
態様５２から５４のいずれか一態様に記載の方法において、前記高周波信号が、３０ＧＨｚ〜６０ＧＨｚのスペクトル帯域にある、方法。
〔態様５６〕
高周波通信リンクを介して情報を送信する方法であって、
情報をマルチ空間ストリームＷｉＦｉ信号として符号化する過程と、
前記ＷｉＦｉ信号をアップコンバートする過程と、
アップコンバートされた前記ＷｉＦｉ信号を、異なる偏波で、および／または異なる空間セクタで、および／または異なる周波数で、送信する過程と、
を備える、方法。
〔態様５７〕
態様５６に記載の方法において、アップコンバートされた前記ＷｉＦｉ信号が、異なる偏波で送信される、方法。
〔態様５８〕
態様５７に記載の方法において、前記偏波が、互いに直交する、方法。
〔態様５９〕
態様５７または５８に記載の方法において、アップコンバートされた前記ＷｉＦｉ信号が、カバレッジエリアを分割する異なるセクタに送信される、方法。
〔態様６０〕
態様５６から５９のいずれか一態様に記載の方法において、アップコンバートされた前記ＷｉＦｉ信号が、カバレッジエリアを分割する異なるセクタに送信される、方法。
〔態様６１〕
態様５６から６０のいずれか一態様に記載の方法において、アップコンバートされた前記ＷｉＦｉ信号が、異なる周波数に多重化される、方法。
〔態様６２〕
態様５６から６１のいずれか一態様に記載の方法において、さらに、前記ＷｉＦｉ信号をアップコンバートする過程が、中間周波数信号に変換し、その後に高周波信号に変換することを含む、方法。
〔態様６３〕
態様５６から６２のいずれか一態様に記載の方法において、ＧＰＳ信号を用いて生成される局部発振器信号が、前記ＷｉＦｉ信号をアップコンバートするのに用いられる、方法。
〔態様６４〕
態様５６から６３のいずれか一態様に記載の方法において、アップコンバートされた前記ＷｉＦｉ信号が、少なくとも１つのフェーズドアレイアンテナを介して送信される、方法。
〔態様６５〕
態様６４に記載の方法において、第１のフェーズドアレイアンテナが水平偏波で送信を行い、第２のフェーズドアレイアンテナが垂直偏波で送信を行う、方法。
〔態様６６〕
情報をマルチ空間ストリームＷｉＦｉ信号に符号化し、かつ、マルチ空間ストリームＷｉＦｉ信号から情報を復号化する少なくとも１つのマルチ空間ストリームＷｉＦｉチップセットと、
ＷｉＦｉ信号を高周波信号にアップコンバートするブロックアップコンバータと、
前記高周波信号を送信する送信側アンテナと、
他のノードから他の高周波信号を受信する受信側アンテナと、
受信した前記高周波信号を前記ＷｉＦｉチップセットによる復号化用にダウンコンバートする低雑音ブロックダウンコンバータと、
を備える、無線ノード。
〔態様６７〕
態様６６に記載の無線ノードにおいて、さらに、
前記ＷｉＦｉ信号を中間周波数信号に変換する送信側ダイプレクサ、
を備える、無線ノード。
〔態様６８〕
態様６７に記載の無線ノードにおいて、前記ブロックアップコンバータが、前記中間周波数信号を前記高周波信号にアップコンバートする、無線ノード。
〔態様６９〕
態様６６から６８のいずれか一態様に記載の無線ノードにおいて、前記高周波信号が、異なる偏波で送信される、無線ノード。
〔態様７０〕
態様６９に記載の高周波無線ノードにおいて、前記異なる偏波が互いに直交する、高周波無線ノード。
〔態様７１〕
態様６６から７０のいずれか一態様に記載の高周波無線ノードにおいて、前記ブロックコンバータおよび前記低雑音ブロックダウンコンバータが、局部発振器信号を用いて前記アップコンバートおよび前記ダウンコンバートを実行する、高周波無線ノード。
〔態様７２〕
態様７１に記載の高周波無線ノードにおいて、前記局部発振器信号が、ＧＰＳ信号を用いて生成される、高周波無線ノード。
〔態様７３〕
態様６６から７２のいずれか一態様に記載の高周波無線ノードにおいて、さらに、
受信した前記高周波信号を中間周波数信号に変換する受信側ダイプレクサ、
を備える、高周波無線ノード。
〔態様７４〕
情報をマルチ空間ストリームＷｉＦｉ信号に符号化し、かつ、マルチ空間ストリームＷｉＦｉ信号から情報を復号化する少なくとも１つのマルチ空間ストリームＷｉＦｉチップセットと、
ＷｉＦｉ信号を高周波信号にアップコンバートするブロックアップコンバータと、
アップコンバートされた前記ＷｉＦｉ信号を、互いに直交する異なる偏波で送信するフェーズドアレイアンテナシステムと、
を備える、高周波無線ノード。
〔態様７５〕
ＷｉＦｉ信号を生成する少なくとも２つのＷｉＦｉチップセットと、
増幅器のアレイであって、少なくとも２つの前記ＷｉＦｉチップセットから導き出された高周波信号を送信するフェーズドアレイアンテナを駆動する、増幅器のアレイと、
を備える、高周波無線ノード。
〔態様７６〕
アクセスネットワークにおけるノードであって、
少なくとも１つの集約ノードとの間で情報を送受信する高周波通信モジュールと、
加入者の構内の無線ローカルエリアネットワークを維持するローカル無線アクセスポイントを介して、構内におけるネットワーク装置との間で情報を送受信するローカル無線モジュールと、
を備える、ノード。
〔態様７７〕
態様７６に記載のノードにおいて、前記高周波通信モジュールが、
前記少なくとも１つの集約ノードに送信されるＷｉＦｉ信号を高周波信号にアップコンバートするように、かつ、
前記少なくとも１つの集約ノードから受信した高周波信号をＷｉＦｉ信号にダウンコンバートするように構成されている、ノード。
〔態様７８〕
態様７６または７７に記載の加入者ノードにおいて、前記ローカル無線モジュールが、
ダウンコンバートされた前記ＷｉＦｉ信号を受信するように、かつ、
前記ローカル無線アクセスポイントへの無線データ接続を確立してダウンコンバートされた前記ＷｉＦｉ信号を加入者の構内におけるネットワーク装置に伝達するように構成されている、加入者ノード。
〔態様７９〕
態様７６から７８のいずれか一態様に記載の加入者ノードにおいて、当該加入者ノードが、前記少なくとも１つの集約ノードと１０ＧＨｚ〜３００ＧＨｚのスペクトル帯域で通信する、加入者ノード。
〔態様８０〕
態様７６から７９のいずれか一態様に記載の加入者ノードにおいて、当該加入者ノードが、前記少なくとも１つの集約ノードと３０ＧＨｚ〜６０ＧＨｚのスペクトル帯域で通信する、加入者ノード。
〔態様８１〕
無線インターネットサービスを加入者の構内に提供する方法であって、
前記加入者の構内に設置された加入者ノードで、集約ノードから高周波信号を受信する過程と、
前記高周波信号をＷｉＦｉ信号にダウンコンバートする過程と、
前記ＷｉＦｉ信号を前記加入者の構内におけるネットワーク装置に伝達するように、ロ
ーカル無線アクセスポイントとの無線データ接続を確立する過程と、
を備える、方法。
〔態様８２〕
態様８１に記載の方法において、前記ローカル無線アクセスポイントが、前記加入者の構内の無線ローカルエリアネットワークを維持する、方法。
〔態様８３〕
態様８１または８２に記載の方法において、前記高周波信号が、前記集約ノードに向いた少なくとも１つのパッチアレイアンテナを介して受信される、方法。
〔態様８４〕
態様８１から８３のいずれか一態様に記載の方法において、前記高周波信号をＷｉＦｉ信号にダウンコンバートする過程が、さらに、
前記高周波信号を中間周波数信号にダウンコンバートすること、および
当該中間周波数信号を前記ＷｉＦｉ信号に変換することを含む、方法。
〔態様８５〕
無線通信用のシステムであって、
集合住宅（ＭＤＵ）の第１の集合住宅ノード（ＭＤＮ）と高周波信号を介して通信するように構成された集約ノードであって、前記高周波信号を前記ＭＤＮに向かって電子的に方向操縦するフェーズドアレイアンテナシステムを含む、集約ノード、
を備え、前記第１のＭＤＮが、前記集約ノードに向くように、かつ、当該集約ノードから前記高周波信号を受信するように構成された少なくとも１つのアンテナアレイを含む、システム。
〔態様８６〕
態様８５に記載のシステムにおいて、さらに、
前記第１のＭＤＮを前記ＭＤＵの複数のユニットに接続するように構成されたスイッチ、
を備える、システム。
〔態様８７〕
態様８６に記載のシステムにおいて、前記スイッチが、前記第１のＭＤＮと、有線接続を前記複数のユニットに提供するケーブルとの間に配置される、システム。
〔態様８８〕
態様８６または８７に記載のシステムにおいて、さらに、
前記ＭＤＵの第２のＭＤＮ、
を備え、前記スイッチが、前記第２のＭＤＮを前記複数のユニットに接続するように構成されている、システム。
〔態様８９〕
態様８８に記載のシステムにおいて、前記スイッチが、前記第１のＭＤＮおよび前記第２のＭＤＮを監視するように構成されている、システム。
〔態様９０〕
態様８９に記載のシステムにおいて、前記スイッチが、前記第１のＭＤＮの動作不良に応答して、前記集約ノードとの継続した接続を提供するように前記第２のＭＤＮに切り替える、システム。